(57)【特許請求の範囲】
【請求項１】
送信音声をＡ／Ｄ装置でディジタル音声信号に変換して音声符号化・復号化装置で符号化し、得られた符号化系列を無線インタフェース部を介してアンテナより送信するとともに、アンテナの受信信号を無線インタフェースを介して音声符号化・復号化装置に送って復号化し、得られたディジタル音声信号をＤ／Ａ装置でアナログ電気信号に変換して出力する携帯機端末において、
外部機器との接続に汎用的に利用可能な汎用接続ポートを設け、
前記音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、
前記無線インタフェース部と音声符号化・復号化装置との間に、当該携帯機端末の通常の使用時とは異なる経路で、前記音声符号化・復号化装置の評価用符号化系列の入出力を可能とする第２の信号経路スイッチを配置し、
前記第１の信号経路スイッチと前記汎用接続ポートとの間で、前記端末音響評価用信号、および前記第１の信号経路スイッチの制御信号の入出力を行うとともに、
前記第２の信号経路スイッチと前記汎用接続ポートとの間で、前記音声符号化・復号化装置の試験用信号、および前記第２の信号経路スイッチの制御信号の入出力を行うことを特徴とする携帯機端末。
【請求項２】
送信音声をＡ／Ｄ装置でディジタル音声信号に変換して音声符号化・復号化装置で符号化し、得られた符号化系列を無線インタフェース部を介してアンテナより送信するとともに、アンテナの受信信号を無線インタフェースを介して音声符号化・復号化装置に送って復号化し、得られたディジタル音声信号をＤ／Ａ装置でアナログ電気信号に変換して出力する携帯機端末において、
外部機器との接続に汎用的に利用可能な汎用接続ポートを設け、
前記音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、
前記無線インタフェース部と音声符号化・復号化装置との間に、当該携帯機端末の通常の使用時とは異なる経路で、前記無線インタフェース部の評価用符号化系列の入出力を可能とする第３の信号経路スイッチを配置し、
前記第１の信号経路スイッチと前記汎用接続ポートとの間で、前記端末音響評価用信号、および前記第１の信号経路スイッチの制御信号の入出力を行うとともに、
前記第３の信号経路スイッチと前記汎用接続ポートとの間で、前記無線インタフェース部の試験用信号、および前記第３の信号経路スイッチの制御信号の入出力を行うことを特徴とする携帯機端末。
【請求項３】
請求項１または請求項２記載の携帯機端末に、当該携帯機端末の音響特性に関する評価試験を行うために接続される携帯機端末の音響試験用周辺装置において、
前記端末音響評価装置との接続を行うための専用接続ポートと、
前記携帯機端末との接続を行うための第１の汎用接続ポートと、
外部機器との接続を行うための第２の汎用接続ポートと、
前記専用接続ポートと前記第１の汎用接続ポートの間の伝送信号フォーマットを変換するフォーマット変換手段とを備えたことを特徴とする携帯機端末の音響試験用周辺装置。
【発明の詳細な説明】
【０００１】
【発明の属する技術分野】
この発明は、携帯機端末の構造、およびその携帯機端末の音響特性に関する評価試験に用いる端末音響評価装置を接続するための携帯機端末の音響試験用周辺装置に関するものである。
【従来の技術】
【０００２】
携帯機端末の通話品質維持のため、送話マイクの周波数特性、および受話レシーバ（スピーカ）の周波数特性の評価、もしくはこれら受話レシーバから送話マイクの間に生ずる音響エコー量等のアナログ音響系の特性評価、さらには、当該携帯機端末に使用される音声符号化・復号化装置の符号化・復号化特性、あるいは音響エコーキャンセラ装置のエコー消去性能などの各種音声のディジタル信号処理装置の特性評価が行われており、それら各種特性評価を行う端末音響評価装置を携帯機端末に接続するために音響試験用周辺装置が用いられている。
【０００３】
従来、同様の技術には、ＥＴＳＩ（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅｓ）標準規格、ＧＳＭ０４．１４に記載されるように、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式携帯機端末をシステムシミュレータと接続して実施する方法がある。ここでシステムシミュレータとは、評価対象の携帯機端末の対向局として、当該携帯機端末との間に、実回線で用いられるのと全く同様のＴＤＭＡ方式の無線接続が確立でき、これを用いて音声符号化系列の送受を行い、かつＤＡＩ（Ｄｉｇｉｔａｌ  Ａｕｄｉｏ  Ｉｎｔｅｒｆａｃｅ）と称される専用端子（以下、ＤＡＩポートという）を用いて、別途端末制御信号の送受、およびＰＣＭディジタル音声信号の送受を行う機能を有している。ちなみに、ＤＡＩポートは携帯機端末およびシステムシミュレータに、それぞれＩＳＯ２１１０規格に準拠した専用の２５ピンＤＳＵＢ端子を設け、ポート間の接続はこの端子形状に対応する端子付ケーブルにて接続する。
【０００４】
また、電気的信号条件、信号タイミング、論理インタフェース等の各条件についても、上記ＥＴＳＩ標準規格、ＧＳＭ０４．１４に定められており、信号伝送速度は、携帯機端末からシステムシミュレータ、およびシステムシミュレータから携帯機端末の各方向とも、１０４キロビット／秒となっている。これは評価用音声信号の８０００（サンプル／秒）×１３（ビット／サンプル）＝１０４，０００（ビット／秒）の計算に基づく。この端子形状、および独自の伝送速度を使用している結果、現在各種コンピュータ装置の外部接続ポート用として汎用的に用いられている各種ポート（ＵＳＢ、ＩＥＥＥ１３９４，ＲＳ−２３２Ｃ、ＲＳ４２３等）対応の端子付ケーブルを、このＤＡＩポートに直接接続することはできない。
【０００５】
このようなＧＳＭ方式の携帯機端末では、携帯機端末とシステムシミュレータの間を、このＤＡＩポートを用いて接続し、かつ同時に、無線による接続を行うことによって、後述のように、３種類の音響評価試験が可能となっている。これら３種類の音響評価試験の動作説明を、図１０ないし図１４をもとに、順次行う。
【０００６】
図１０は従来のＧＳＭ方式による携帯機端末における、端末音響評価試験時の機器接続状態を示すブロック図である。図において、１は携帯機端末、２はシステムシミュレータ、３は外部端末装置である。携帯機端末１内において、１０は送話マイク、１１は受話レシーバ、１２は送話マイクアンプ、１３は受話レシーバアンプ、１４はＡ／Ｄ装置、１５はＤ／Ａ装置、１６は音声符号化・復号化装置、１７はターミナルアダプタ、１８はデータ通信ポート、１９は無線インタフェース部、２０はアンテナ、２１は送話側音声信号経路スイッチ、２２は受話側音声信号経路スイッチ、２３はＤＡＩポートである。また、システムシミュレータ２内において、４０はＤＡＩポート、４１は評価信号蓄積部、４２は無線インタフェース部、４３はアンテナ、４４は制御・信号評価手段である。
【０００７】
次に動作について説明する。
ここでは、まず図１０に示す各構成要素の個々の動作について説明する。携帯機端末１の構成要素のうち、送話マイク１０は入力音声を集音してそれをアナログ電気信号に変換する。送話マイクアンプ１２はそのアナログ電気信号を増幅する。Ａ／Ｄ装置１４は増幅されたアナログ電気信号を８０００サンプル／秒の１３ビットリニアＰＣＭディジタル音声信号に変換する。一方、Ｄ／Ａ装置１５は受話側音声信号経路スイッチ２２からの８０００サンプル／秒の１３ビットリニアＰＣＭディジタル音声信号をアナログ電気信号に変換する。受話レシーバアンプ１３はこのアナログ電気信号を増幅する。受話レシーバ１１は増幅されたアナログ電気信号を音声に変換して外部空間に放射する。
【０００８】
また、音声符号化・復号化装置１６は、送話側音声信号経路スイッチ２１からの８０００サンプル／秒の１３ビットリニアＰＣＭディジタル音声信号を符号化系列に符号化するとともに、無線インタフェース部１９からの符号化系列を８０００サンプル／秒の１３ビットリニアＰＣＭディジタル音声信号に復号化する。無線インタフェース部１９はその符号化系列を変調してアンテナ２０より送信するとともに、アンテナ２０にて受信された信号を復調する。
【０００９】
ＤＡＩポート２３は、送話側音声信号経路スイッチ２１または受話側音声信号経路スイッチ２２の切り替えに応じた信号を、システムシミュレータ２との間で送受する。このＤＡＩポート２３における信号伝送速度は各方向とも、１０４キロビット／秒となっている。これは評価用音声信号の８０００（サンプル／秒）×１３（ビット）＝１０４，０００（ビット／秒）の計算に基づいている。
【００１０】
一方、ターミナルアダプタ１７は外部端末装置３等に対して、データ通信ポート１８を経由して入出力されるディジタル送受信データについて、無線インタフェース部１９との間での送受信を行う。多くの場合、データ通信ポート１８には外部端末装置３として、パーソナルコンピュータ（以下、ＰＣという）がモデム装置を仲介として接続され、携帯電話回線を経由した電子メールの送受信、ネットワークへのアクセスなどに用いられる。その結果、データ通信ポート１８は、ＤＡＩポート２３にて送受される８０００サンプル／秒の１３ビットリニアＰＣＭディジタル音声信号とは異なる信号の送受が必要となる。そのため、ＤＡＩポート２３との共用が不可能であり、ＤＡＩポート２３とは別に設けておく必要がある。
【００１１】
なお、携帯機端末１側の構成要素のうち、送話側音声信号経路スイッチ２１および受話側音声信号経路スイッチ２２の各動作については、図１１〜図１４を用いて、携帯機端末１の具体的な動作とともに別途説明する。
【００１２】
一方、システムシミュレータ２の制御・信号評価手段４４は、評価信号蓄積部４１に保存されている評価用信号あるいは評価用符号化系列を、ＤＡＩポート４０もしくは無線インタフェース部４２へ送出し、またＤＡＩポート４０もしくは無線インタフェース部４２から入力される評価用信号あるいは評価用符号化系列を、評価信号蓄積部４１へ送出するとともに、試験条件毎に必要な携帯機端末１側の設定用制御信号をＤＡＩポート４０へ送出する。無線インタフェース部４２およびアンテナ４３は、携帯機端末１のアンテナ２０および無線インタフェース部１９との無線接続を確立し、携帯機端末１側との間で当該設定用制御信号および評価用符号化系列を送受する。
【００１３】
次に、送話側音声信号経路スイッチ２１、および受話側音声信号経路スイッチ２２の動作について説明する。なお、この送話側音声信号経路スイッチ２１は２つのスイッチング素子２１−１，２１−２で形成され、受話側音声信号経路スイッチ２２は２つのスイッチング素子２２−１，２２−２で形成されている。無線接続およびＤＡＩを用いてシステムシミュレータ２と接続された携帯機端末１の動作について、ＥＴＳＩ標準規格では、通常動作、音声復号化部の評価、音声符号化部の評価、マイク、レシーバおよびＡ／Ｄ装置、Ｄ／Ａ装置の評価の、計４つの状態が定められており、それぞれ送話側音声信号経路スイッチ２１および受話側音声信号経路スイッチ２２の各スイッチング素子２１−１，２１−２，２２−１，２２−２の切り替えによって設定される。なお、この設定に必要な制御情報は、システムシミュレータ２側からＤＡＩポート４０，２３を経由して、送話側音声信号経路スイッチ２１および受話側音声信号経路スイッチ２２に伝えられる。
【００１４】
上記通常動作においては、図１１に示すように、送話側音声信号経路スイッチ２１と受話側音声信号経路スイッチ２２の各スイッチング素子２１−１，２１−２，２２−１，２２−２をａ端子側へ接続するように設定する。これにより、Ａ／Ｄ装置１４とＤ／Ａ装置１５は音声符号化・復号化装置１６に接続され、携帯機端末１とシステムシミュレータ２の間の、ＤＡＩポート２３，４０を経由したディジタル音声信号の送受は行われない。
【００１５】
また、この音声復号化部の評価では、図１２に示すように、受話側音声信号経路スイッチ２２のスイッチング素子２２−１をｂ端子側に、他のスイッチング素子２１−１，２１−２，２２−２をａ端子側に接続するように設定する。これにより、システムシミュレータ２から無線接続経由で携帯機端末１に伝送された音声符号化系列は音声符号化・復号化装置１６の音声復号化部で復号化され、受話側音声信号経路スイッチ２２のスイッチング素子２２−１のｂ端子を経由してシステムシミュレータ２へ送られる。システムシミュレータ２では、それを制御・信号評価手段４４であらかじめ用意してあるディジタル音声信号と比較し、両者に相違があれば、携帯機端末１の音声符号化・復号化装置１６の復号化過程に問題があると判定する。
【００１６】
さらに、音声符号化部の評価では、図１３に示すように、送話側音声信号経路スイッチ２１のスイッチング素子２１−１をｂ端子側に、他のスイッチング素子２１−２，２２−１，２２−２をａ端子側に接続するように設定する。これにより、システムシミュレータ２から携帯機端末１に入力された信号は、送話側音声信号経路スイッチ２１のスイッチング素子２１−１のｂ端子を経由して音声符号化・復号化装置１６に送られ、その音声符号化部で符号化された後、無線接続経由でシステムシミュレータ２に取り込まれる。システムシミュレータ２では、それを制御・信号評価手段４４であらかじめ用意してある音声符号化結果と比較し、利用者に相違があれば音声符号化・復号化装置１６の符号化過程に問題があると判定する。
【００１７】
マイク、レシーバおよびＡ／Ｄ装置、Ｄ／Ａ装置の評価では、図１４に示すように、送話側音声信号経路スイッチ２１のスイッチング素子２１−１をａ端子側、２１−２をｂ端子側に接続し、受話側音声信号経路スイッチ２２のスイッチング素子２２−１をａ端子側、２２−２をｂ端子側に接続するように設定する。なお、図中、５０は評価用信号発生器、５１は擬似口アンプ、５２は擬似口、５３は擬似耳、５４は擬似耳アンプ、５５は信号評価手段であり、マイク、レシーバおよびＡ／Ｄ装置、Ｄ／Ａ装置の評価にはこれらが用いられる。
【００１８】
まず、マイクおよびＡ／Ｄ装置の評価時の動作について説明する。評価用信号発生器５０からの評価用信号を擬似口アンプ５１で増幅し、擬似口５２より評価用音声として放射する。その評価用音声は送話マイク１０で集音され、送話マイクアンプ１２で増幅され、Ａ／Ｄ装置１４でディジタル音声信号に変換される。そのディジタル音声信号は送話側音声信号経路スイッチ２１のスイッチング素子２１−２のｂ端子よりシステムシミュレータ２に直接取り込まれ、その制御・信号評価手段４４にて周波数特性の評価が行われる。
【００１９】
次に、レシーバおよびＤ／Ａ装置の評価時の動作について説明する。用意された−２６ｄＢｏｖの８０００サンプル／秒の１３ビットリニアＰＣＭディジタル音声信号をシステムシミュレータ２から携帯機端末１に伝送し、受話側音声信号経路スイッチ２２のスイッチング素子２２−２のｂ端子側を介してＤ／Ａ装置１５に送りアナログ電気信号に変換する。このアナログ電気信号は受話レシーバアンプ１３で増幅され、受話レシーバ１１で音声に変換されて空間に放射され、擬似耳５３で集音されて擬似耳アンプ５４で増幅された後、信号評価手段５５で周波数特性分析を行う。
【００２０】
また、携帯機端末１の音響エコー評価時には、上記レシーバおよびＤ／Ａ装置の評価時の動作手順で、システムシミュレータ２からディジタル音声信号を送出し、受話レシーバ１１より放射された音声を直接送話マイク１０で集音して、上記マイクおよびＡ／Ｄ装置の評価時の動作手順でシステムシミュレータ２へ信号を戻し、これらの信号間のレベル差を制御・信号評価手段４４で、所定の規格値と、比較することによって実現する。
【００２１】
なお、このような従来の携帯機端末に関連のある記載がなされている文献としては、この他にも、例えば、ＵＳＢインタフェースを設けて、充電器経由でＰＣ等の外部機器と通信を行う特開２０００−１３９０３２号公報、ＧＳＭ端末でＤＡＩを使用したハンズフリーアダプタに関する特開平９−８３６３２号公報などがある。
【００２２】
【発明が解決しようとする課題】
従来のＧＳＭ方式による携帯機端末は以上のように構成され、その音響評価試験は以上のように行われていたので、ＤＡＩ専用の物理インタフェース（ＤＡＩポート２３）が必須であり、一方、近年、これらの携帯機端末には、ＰＣ等とのデータ通信が可能な、汎用の外部接続インタフェース（データ通信ポート１８）を設置する場合が多くなっている。しかし、このような汎用のデータ通信ポート１８を筐体に設置した場合であっても、音響評価用として別途ＤＡＩポート２３を併置しなくてはならず、そのため携帯機端末の小型軽量化の観点でのデメリットが生ずるという課題があった。
【００２３】
また、従来のＧＳＭ方式による携帯機端末、およびその音響評価試験においては、ＤＡＩポート２３の設置位置が音声符号化・復号化装置１６とＡ／Ｄ装置１４、Ｄ／Ａ装置１５の中間に位置し、ＤＡＩポート２３，４０にて携帯機端末１とシステムシミュレータ２との間で送受される信号は８０００サンプル／秒の１３ビットリニアＰＣＭディジタル音声信号のみであり、音声符号化・復号化装置１６の試験時には無線接続を経由してシステムシミュレータ２との接続確立を行い、その上で符号化系列の送受を行うことが必須であるため、以下のような課題もあった。
（１）  無線接続のため、無線インタフェース部１９，４２およびアンテナ２０，４３を、携帯機端末１とシステムシミュレータ２の双方に搭載することが必須であり、評価系の装置規模が大きくなる。
（２）  端末の開発段階等の特殊事情下において、無線インタフェース部１９との組み合わせができない場合には、例えば音声符号化・復号化装置１６、あるいはＡ／Ｄ装置１４、Ｄ／Ａ装置１５およびアナログ回路部分のみでの、単独の動作試験ができない場合がある。
（３）  無線接続の動作条件によってはエラーレートが大きくなり、評価系の動作が不安定になる恐れがある。
【００２４】
同様に、従来のＧＳＭ方式による携帯機端末、およびその音響評価試験では、ＤＡＩポート２３の設置位置が、音声符号化・復号化装置１６とＡ／Ｄ装置１４、Ｄ／Ａ装置１５の中間に位置し、ＤＡＩポート２３にて携帯機端末１とシステムシミュレータ２との間で送受される信号は、８０００サンプル／秒の１３ビットリニアＰＣＭディジタル音声信号のみであるので、無線インタフェース部単独の特性評価ができないという課題もあった。
【００２５】
この発明は上記のような課題を解決するためになされたものであり、携帯機端末の音響評価試験用の外部接続ポートをより効率的な方法で搭載可能とした携帯機端末、およびその音響試験用周辺回路を実現し、また、より簡易な方法で確実に、従来例の方法では実現できなかった評価項目（音声符号化・復号化装置単独、無線インタフェース部単独）にも対応可能な携帯機端末、およびその音響試験用周辺回路を得ることを目的とする。
【００２６】
【課題を解決するための手段】
この発明に係る携帯機端末は、外部機器との接続に汎用的に利用可能な汎用接続ポートを設け、音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、無線インタフェース部と音声符号化・復号化装置との間に、当該携帯機端末の通常の使用時とは異なる経路で、音声符号化・復号化装置の評価用符号化系列の入出力を可能とする第２の信号経路スイッチを配置し、第１の信号経路スイッチと汎用接続ポートとの間で、端末音響評価用信号、および第１の信号経路スイッチの制御信号の入出力を行うとともに、第２の信号経路スイッチと汎用接続ポートとの間で、音声符号化・復号化装置の試験用信号、および第２の信号経路スイッチの制御信号の入出力を行うようにしたものである。
【００２７】
この発明に係る携帯機端末は、外部機器との接続に汎用的に利用可能な汎用接続ポートを設け、音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、無線インタフェース部と音声符号化・復号化装置との間に、当該携帯機端末の通常の使用時とは異なる経路で、無線インタフェース部の評価用符号化系列の入出力を可能とする第３の信号経路スイッチを配置し、第１の信号経路スイッチと汎用接続ポートとの間で、端末音響評価用信号、および第１の信号経路スイッチの制御信号の入出力を行うとともに、第３の信号経路スイッチと汎用接続ポートとの間で、無線インタフェース部の試験用信号、および第３の信号経路スイッチの制御信号の入出力を行うようにしたものである。
【００２８】
この発明に係る携帯機端末の音響試験用周辺装置は、端末音響評価装置との接続を行うための専用接続ポートと、携帯機端末との接続を行うための第１の汎用接続ポートと、外部機器との接続を行うための第２の汎用接続ポートと、専用接続ポートと第１の汎用接続ポートの間の伝送信号フォーマットを変換するフォーマット変換手段とを備えたものである。
【００２９】
【発明の実施の形態】
以下、この発明の実施の一形態を説明する。
実施の形態１．
図１はこの発明の実施の形態１による携帯機端末およびその音響試験用周辺装置を用いた、端末音響評価試験時の機器接続状態を示すブロック図である。図において、１は携帯機端末であり、２はこの携帯機端末の音響特性に関する評価試験を行う既存の端末音響評価装置としてのシステムシミュレータである。３はこの携帯機端末１に接続されるＰＣ等の外部機器としての外部端末装置であり、４はシステムシミュレータ２および外部端末装置３を携帯機端末１に接続する音響試験用周辺装置としてのシステムシミュレータ接続装置である。
【００３０】
また、携帯機端末１内において、１０は入力音声の集音を行う送話マイクであり、１１は出力音声の放射を行う受話レシーバである。１２は送話マイク１０からの入力音声を増幅する送話マイクアンプであり、１３は受話レシーバ１１への出力音声を増幅する受話レシーバアンプである。１４は送話マイクアンプ１２からのアナログ電気信号をディジタル音声信号に変換するＡ／Ｄ装置であり、１５は受話レシーバアンプ１３へのディジタル音声信号をアナログ電気信号に変換するＤ／Ａ装置である。１６はＡ／Ｄ装置１４からのディジタル音声信号を符号化し、Ｄ／Ａ装置１５へのディジタル音声信号の復号を行う音声符号化・復号化装置である。１７は外部端末装置３等に対して入出力されるディジタル送受信データの送受を行うターミナルアダプタである。１９はこれら音声符号化・復号化装置１６およびターミナルアダプタ１７におけるディジタル送受信データの無線通信を制御する無線インタフェース部であり、２０はこの無線インタフェース部１９に接続されたアンテナである。
【００３１】
２１は音声符号化・復号化装置１６とＡ／Ｄ装置１４との間に配置され、携帯機端末１の通常の使用時とは異なる経路で端末音響評価用信号の出力を可能とする、信号経路スイッチとしての送話側音声信号経路スイッチであり、２２は音声符号化・復号化装置１６とＤ／Ａ装置１５との間に配置され、携帯機端末１の通常の使用時とは異なる経路で端末音響評価用信号の入力を可能とする、信号経路スイッチとしての受話側音声信号経路スイッチである。
【００３２】
２４は携帯機端末１に設けられた、外部機器との接続に汎用的に利用可能な汎用接続ポートとしてのＵＳＢ（Ｕｎｉｖｅｒｓａｌ  Ｓｅｒｉａｌ  Ｂｕｓ）ポートであり、２５はこのＵＳＢポート２４の制御を行うＵＳＢコントローラである。２６は演算機能および制御機能をもち、送話側音声信号経路スイッチ２１および受話側音声信号経路スイッチ２２とＵＳＢポート２４との間で、端末音響試験用信号、送話側音声信号経路スイッチ２１および受話側音声信号経路スイッチ２２の制御信号の入出力を制御するＣＰＵであり、２７はこのＣＰＵ２６の制御のもとに動作し、送話側音声信号経路スイッチ２１、受話側音声信号経路スイッチ２２、ターミナルアダプタ１７のデータ系列の入出力機能をもったデータバスである。
【００３３】
また、システムシミュレータ２内において、４０は携帯機端末１の音響評価試験のために当該システムシミュレータ２を接続するための専用接続ポートとしてのＤＡＩポートであり、４１は携帯機端末１の音響評価試験のための評価用信号あるいは評価用符号化系列を保存する評価信号蓄積部である。４２、４３は携帯機端末１側との無線接続を確立し、携帯機端末１側との間で設定用制御信号、評価用符号化系列を送受する無線インタフェース部およびアンテナであり、携帯機端末１側の無線インタフェース部１９およびアンテナ２０と同じ機能をもっている。４４は評価信号蓄積部４１に保存された評価用信号あるいは評価用符号化系列を、ＤＡＩポート４０もしくは無線インタフェース部４２へ送出し、また、逆にＤＡＩポート４０もしくは無線インタフェース部４２から入力される評価用信号あるいは評価用符号化系列を、評価信号蓄積部４１へ送出するとともに、試験条件毎に必要な携帯機端末１側の設定用制御信号をＤＡＩポート４０へ送出する制御・信号評価手段である。
【００３４】
さらに、システムシミュレータ接続装置４内において、６０はシステムシミュレータ２との接続を行うための専用接続ポートとしてのＤＡＩポートである。６１は携帯機端末１との接続を行うための汎用接続ポートとしてのＵＳＢポートであり、６２は外部端末装置３との接続を行うための汎用接続ポートとしてのＵＳＢポートである。６３はＤＡＩポート６０とＵＳＢポート６１との間の伝送信号フォーマットの変換を行うフォーマット変換手段である。
【００３５】
次に動作について説明する。
ここでは、図示の各構成要素の個々の動作についてまず説明する。携帯機端末１の構成要素のうち、送話マイク１０は当該携帯機端末１を使用する送話者の音声、もしくは音響評価試験用の入力音声を集音し、これをアナログ電気信号に変換して送話マイクアンプ１２に出力する。送話マイクアンプ１２は送話マイク１０で変換・出力されたアナログ電気信号を所定のゲインで増幅し、Ａ／Ｄ装置１４に出力する。Ａ／Ｄ装置１４は送話マイクアンプ１２で増幅されたアナログ電気信号を、ＧＳＭ方式携帯電話機規格で定められている８０００サンプル／秒の１３ビットリニアＰＣＭディジタル音声信号に変換し、送話側音声信号経路スイッチ２１に送出する。
【００３６】
一方、Ｄ／Ａ装置１５は、受話側音声信号経路スイッチ２２から送出された８０００サンプル／秒の１３ビットリニアＰＣＭディジタル音声信号を、アナログ電気信号に変換して受話レシーバアンプ１３に出力する。受話レシーバアンプ１３はこのＤ／Ａ装置１５から出力されたアナログ電気信号を所定のゲインで増幅し、受話レシーバ１１に出力する。受話レシーバ１１はこの受話レシーバアンプ１３で増幅されたアナログ電気信号を音声に変換して外部空間に放射する。
【００３７】
また、音声符号化・復号化装置１６は、送話側音声信号経路スイッチ２１からの８０００サンプル／秒の１３ビットリニアＰＣＭディジタル音声信号を、所定の音声符号化方式に基づく符号化方法にて符号化し、符号化系列を無線インタフェース部１９に送出するとともに、逆に、無線インタフェース部１９より送出された符号化系列を、所定の音声符号化方式に基づく復号化方法で復号化し、８０００サンプル／秒の１３ビットリニアＰＣＭディジタル音声信号にて受話側音声信号経路スイッチ２２に送出する。ターミナルアダプタ１７は外部端末装置３等に対して、データバス２７、ＵＳＢコントローラ２５、ＵＳＢポート２４、システムシミュレータ接続装置４を経由して入出力されるディジタル送受信データを無線インタフェース部１９との間で送受する。
【００３８】
また、無線インタフェース部１９はこの音声符号化・復号化装置１６あるいはターミナルアダプタ１７より出力された符号化系列を、所定の方法に基づいて変調してアンテナ２０より送信するとともに、アンテナ２０にて受信された信号を所定の方法に基づいて復調し、その結果得られた符号化系列を音声符号化・復号化装置１６もしくはターミナルアダプタ１７へ出力する。多くの場合、外部端末装置３として、モデム装置を仲介としてＰＣを接続し、携帯電話回線を経由した電子メールの送受信、ネットワークへのアクセスなどに用いられる。
【００３９】
なお、外部端末装置３はＵＳＢポートおよびＵＳＢポート制御用のドライバーソフトウエア（いずれも図示省略）を有して、他のＵＳＢポートを持つ機器、図示の例によればＵＳＢポート６２を持ったシステムシミュレータ接続装置４との間で接続、データ転送等が可能なＰＣであり、この場合、そのシステムシミュレータ接続装置４を介して携帯機端末１のＵＳＢコントローラ２５、およびＣＰＵ２６に指示し、携帯機端末１内の送話側音声信号経路スイッチ２１、受話側音声信号経路スイッチ２２の制御を行うことが可能になっている。
【００４０】
一方、システムシミュレータ２の構成要素において、制御・信号評価手段４４は、評価信号蓄積部４１に保存されている評価用信号あるいは評価用符号化系列を、ＤＡＩポート４０もしくは無線インタフェース部４２へ送出し、逆にＤＡＩポート４０もしくは無線インタフェース部４２から入力される評価用信号あるいは評価用符号化系列を評価信号蓄積部４１へ送出するとともに、端末音響試験の条件毎に、必要な携帯機端末１側の設定用制御信号をＤＡＩポート４０へ送出する。無線インタフェース部４２およびアンテナ４３は、携帯機端末１側の無線インタフェース部１９およびアンテナ２０と同じ機能をもち、携帯機端末１側との無線接続を確立し、携帯機端末１側との間で当該設定用制御信号、評価用符号化系列を送受する。
【００４１】
また、送話側音声信号経路スイッチ２１はスイッチング素子２１−１とスイッチング素子２１−２で、受話側音声信号経路スイッチ２２はスイッチング素子２２−１とスイッチング素子２２−２でそれぞれ形成されており、それら送話側音声信号経路スイッチ２１および受話側音声信号経路スイッチ２２は以下のように動作する。
【００４２】
システムシミュレータ２と接続された携帯機端末１の動作について、ＥＴＳＩ標準規格では、（１）通常動作、（２）音声復号化部の評価、（３）音声符号化部の評価、（４）マイク、レシーバおよびＡ／Ｄ装置、Ｄ／Ａ装置の評価の、合計４つの状態が定められており、それぞれ送話側音声信号経路スイッチ２１および受話側音声信号経路スイッチ２２の各スイッチング素子２１−１，２１−２，２２−１，２２−２の切り替えによって設定される。なお、この設定に必要な制御情報は、システムシミュレータ２の制御・信号評価手段４４から、ＤＡＩポート４０、システムシミュレータ接続装置４、ＵＳＢポート２４、ＵＳＢコントローラ２５、データバス２７を経由して、送話側音声信号経路スイッチ２１および受話側音声信号経路スイッチ２２に伝えられる。
【００４３】
ＣＰＵ２６は演算機能および制御機能をもっていて、データバス２７の制御を行い、データバス２７はこのＣＰＵ２６の制御のもとに動作して、送話側音声信号経路スイッチ２１、受話側音声信号経路スイッチ２２、およびターミナルアダプタ１７とのデータ系列の入出力機能をもつ。ＵＳＢコントローラ２５は、ＵＳＢポート２４の制御を行うとともに、データバス２７とＵＳＢポート２４間のデータ転送制御を行う。
【００４４】
ここで、ＵＳＢはＰＣ周辺装置のインタフェース規格として近年提唱されている汎用シリアルインタフェースであり、最大１２８ポートまでの多重接続と、高速（１２メガビット／秒）および低速（１．５メガビット／秒）の２つの転送速度をもつ。従来例のＤＡＩポート４０では、８０００サンプル／秒の１３ビットリニアＰＣＭディジタル音声信号のみの送受しかできなかったが、ＵＳＢポート２４，６１，６２では、８０００サンプル／秒の１３ビットリニアＰＣＭディジタル音声信号、および音声符号化・復号化装置１６への入出力信号である音声符号化系列、およびターミナルアダプタ１７の入出力となるデータ系列を伝送することが可能である。
【００４５】
システムシミュレータ接続装置４のフォーマット変換手段６３は、ＵＳＢポート６１とＤＡＩポート６０の間の信号フォーマットの変換を行い、携帯機端末１のＵＳＢポート２４とシステムシミュレータ２のＤＡＩポート４０との間の信号の受け渡しを行う。ここで、フォーマット変換手段６３によるＵＳＢポート６１とＤＡＩポート６０の間の信号フォーマットの変換とは、ＵＳＢポート６１とＤＡＩポート６０の間の転送速度差を吸収するためのバッファリング、各ポートの電気的信号条件、信号タイミング、論理インタフェース等の接続条件に併せた信号変換を指す。
【００４６】
このような構成を採ることにより、従来の携帯機端末１で実現されていた、ターミナルアダプタ１７と、例えばＰＣのような外部端末装置３との間のデータ伝送については、ＵＳＢポート２４、ＵＳＢコントローラ２５、およびデータバス２７を経由したアクセスにより、例えば従来例の図１０に示した、データ通信ポート１８を用いなくてもこれが可能になるとともに、従来、携帯機端末１にＤＡＩポート２３が必要であったシステムシミュレータ２との接続についても、このＵＳＢポート２４、ＵＳＢコントローラ２５、およびデータバス２７を介して同時に実現可能となる。この結果、ＤＡＩポート及びデータ通信ポートを個別に搭載する必要がなくなる。
【００４７】
ここで、図２は上記実施の形態１による携帯機端末１の、通常動作時における送話側音声信号経路スイッチ２１および受話側音声信号経路スイッチ２２の設定条件を説明するためのブロック図である。この通常動作では、送話側音声信号経路スイッチ２１のスイッチング素子２１−１，２１−２、および受話側音声信号経路スイッチ２２のスイッチング素子２２−１，２２−２を、それぞれのａ端子側へ接続するように設定することによって実現する。これにより、Ａ／Ｄ装置１４とＤ／Ａ装置１５とは、この送話側音声信号経路スイッチ２１あるいは受話側音声信号経路スイッチ２２を介して音声符号化・復号化装置１６に接続される。従って、このとき携帯機端末１とシステムシミュレータ２との間では、ＵＳＢポート２４、システムシミュレータ接続装置４、ＤＡＩポート４０経由による、８０００サンプル／秒の１３ビットリニアＰＣＭディジタル音声信号の送受は行われない。
【００４８】
また、図３は音声符号化・復号化装置１６の音声復号化部の評価時における送話側音声信号経路スイッチ２１および受話側音声信号経路スイッチ２２の設定条件を説明するためのブロック図である。この音声復号化部の評価では、送話側音声信号経路スイッチ２１のスイッチング素子２１−１，２１−２をともにａ端子側に接続し、受話側音声信号経路スイッチ２２のスイッチング素子２２−１をｂ端子側に、スイッチング素子２２−２をａ端子側に接続するように設定することで実現する。
【００４９】
このとき、システムシミュレータ２のアンテナ４３から、無線接続経由で携帯機端末１のアンテナ２０に伝送された音声符号化系列は、音声符号化・復号化装置１６の音声復号化部で復号化される。音声符号化・復号化装置１６より出力された８０００サンプル／秒の１３ビットリニアＰＣＭディジタル音声信号は、受話側音声信号経路スイッチ２２のスイッチング素子２２−１のｂ端子を経由し、さらにデータバス２７、ＵＳＢコントローラ２５、ＵＳＢポート２４、システムシミュレータ接続装置４を介してシステムシミュレータ２へ送られ、そのＤＡＩポート４０で取り込まれる。
【００５０】
システムシミュレータ２ではその制御・信号評価手段４４において、あらかじめ用意してある、当該音声符号化系列の復号結果であるところの、８０００サンプル／秒の１３ビットリニアＰＣＭディジタル音声信号と、上記ＤＡＩポート４０を経由して取り込まれた、携帯機端末１の音声符号化・復号化装置１６での復号化結果である、８０００サンプル／秒の１３ビットリニアＰＣＭディジタル音声信号とをビット毎に比較する。比較の結果、両者に相違があった場合には、携帯機端末１の音声符号化・復号化装置１６による復号化過程に問題があると判定する。
【００５１】
図４は音声符号化・復号化装置１６の音声符号化部の評価時における送話側音声信号経路スイッチ２１および受話側音声信号経路スイッチ２２の設定条件を説明するためのブロック図である。この音声符号化部の評価では、送話側音声信号経路スイッチ２１のスイッチング素子２１−１をｂ端子側に、スイッチング素子２１−２をａ端子側に接続し、受話側音声信号経路スイッチ２２のスイッチング素子２２−１，２２−２をともにａ端子側に接続するように設定することにより実現する。
【００５２】
このとき、システムシミュレータ２のＤＡＩポート４０からシステムシミュレータ接続装置４を介して携帯機端末１に入力された、８０００サンプル／秒の１３ビットリニアＰＣＭディジタル音声信号は、ＵＳＢポート２４、ＵＳＢコントローラ２５、データバス２７、送話側音声信号経路スイッチ２１のスイッチング素子２１−１のｂ端子を経由して、音声符号化・復号化装置１６に直接送られ、その音声符号化部で符号化される。この音声符号化・復号化装置１６で符号化された音声符号化系列は、無線インタフェース部１９およびアンテナ２０を経由して放射され、無線接続経由でアンテナ４３よりシステムシミュレータ２に取り込まれる。
【００５３】
システムシミュレータ２では制御・信号評価手段４４において、あらかじめ用意してある当該ＰＣＭディジタル音声信号の符号化結果である音声符号化結果と、無線接続経由でシステムシミュレータ２に取り込まれた、携帯機端末１の音声符号化・復号化装置１６での符号化結果である音声符号化系列とをビット毎に比較する。比較の結果、相違があれば、携帯機端末１の音声符号化・復号化装置１６の符号化過程に問題があると判定する。
【００５４】
図５はマイク、レシーバおよびＡ／Ｄ装置、Ｄ／Ａ装置の評価時における送話側音声信号経路スイッチ２１および受話側音声信号経路スイッチ２２の設定条件を説明するためのブロック図である。図中５０は送話マイク１０、受話レシーバ１１、Ａ／Ｄ装置１４、Ｄ／Ａ装置１５の評価時の評価用信号を発生する評価用信号発生器、５１はこの評価用信号を増幅する擬似口アンプであり、５２は人間の口腔部の音響放射特性をシミュレートしたスピーカ装置による擬似口である。５３は人間の耳介、外耳道、鼓膜を含めた音響特性をシミュレートしたマイクロホン装置による擬似耳であり、５４はこの擬似耳の出力を増幅する擬似耳アンプ、５５はこの擬似耳アンプの出力信号を評価する信号評価手段である。このマイク、レシーバおよびＡ／Ｄ装置、Ｄ／Ａ装置の評価には別途これらの構成要素が必要となる。
【００５５】
なお、この図５では、携帯機端末１内の音声符号化・復号化装置１６、ターミナルアダプタ１７、無線インタフェース部１９、アンテナ２０、システムシミュレータ２内の、無線インタフェース部４２、アンテナ４３、および外部端末装置３については、当該マイク、レシーバおよびＡ／Ｄ装置、Ｄ／Ａ装置の評価動作の説明には直接関係がないので、その記載を省略している。
【００５６】
マイク、レシーバおよびＡ／Ｄ装置、Ｄ／Ａ装置の評価は、送話側音声信号経路スイッチ２１のスイッチング素子２１−１をａ端子側に、スイッチング素子２１−２をｂ端子側に接続し、また、受話側音声信号経路スイッチ２２のスイッチング素子２２−１をａ端子側に、スイッチング素子２２−２をｂ端子側に接続するように設定することにより実現する。
【００５７】
まず、マイクおよびＡ／Ｄ装置の評価時の動作および評価内容について説明する。評価用信号発生器５０で発生した、例えば白色雑音やトーン信号等の評価用信号を擬似口アンプ５１で増幅し、擬似口５２より評価用音声として放射する。この際の放射音圧レベルは擬似口アンプ５１のゲインによって調整を行う。ここでは、擬似口５２の正面２．５ｃｍ離れた位置における放射音圧レベルを、例えば−４．７ｄＢＰａと設定する。次に携帯機端末１の送話マイク１０を擬似口５２の正面２．５ｃｍ離れた位置に固定する。この送話マイク１０で集音された評価用音声信号は送話マイクアンプ１２で増幅されてＡ／Ｄ装置１４に送られ、８０００サンプル／秒の１３ビットリニアＰＣＭディジタル音声信号に変換される。変換された８０００サンプル／秒の１３ビットリニアＰＣＭディジタル音声信号はさらに、送話側音声信号経路スイッチ２１のスイッチング素子２１−２のｂ端子よりデータバス２７に送られ、ＵＳＢコントローラ２５、ＵＳＢポート２４およびシステムシミュレータ接続装置４を経由して、ＤＡＩポート４０により直接システムシミュレータ２に取り込まれる。
【００５８】
システムシミュレータ２ではＤＡＩポート４０で取り込んだ信号を、制御・信号評価手段４４に送り、制御・信号評価手段４４では当該８０００サンプル／秒の１３ビットリニアＰＣＭディジタル音声信号のレベル測定、あるいはＦＦＴ分析等によって周波数特性の評価を行う。特に、その際に送話マイク１０で集音されている擬似口５２から放射された評価用音声の音圧レベルに対して、システムシミュレータ２で得られている当該８０００サンプル／秒の１３ビットリニアＰＣＭディジタル音声信号のレベルが、ディジタルフルスケール基準で何ｄＢｏｖの信号に変換されているかについて判定する。例えば上記−４．７ｄＢＰａの入力音声については、−２６ｄＢｏｖに変換されていることや、あるいは所定の送話周波数特性のマスクパタンに周波数特性が合致しているか否かについての比較判断を行う。
【００５９】
次に、レシーバおよびＤ／Ａ装置の評価時の動作について説明する。システムシミュレータ２のＤＡＩポート４０から、あらかじめ用意された−２６ｄＢｏｖの８０００サンプル／秒の１３ビットリニアＰＣＭディジタル音声信号を、システムシミュレータ接続装置４を経由して携帯機端末１のＵＳＢポート２４に伝送する。この８０００サンプル／秒の１３ビットリニアＰＣＭディジタル音声信号は、携帯機端末１内のＵＳＢコントローラ２５、データバス２７、受話側音声信号経路スイッチ２２のスイッチング素子２２−２のｂ端子側を経由してＤ／Ａ装置１５に送られる。このＤ／Ａ装置１５でアナログ電気信号に変換され、受話レシーバアンプ１３にて増幅された後、受話レシーバ１１にてアナログ電気信号から音声に変換されて空間に放射される。
【００６０】
この受話レシーバ１１より放射された音声を擬似耳５３で集音し、擬似耳アンプ５４で増幅した後、信号評価手段５５にて信号レベルの測定および音圧への換算、もしくはＦＦＴ分析等による周波数特性分析を行う。特に、その際にシステムシミュレータ２で送出している、−２６ｄＢｏｖのレベルをもつ８０００サンプル／秒の１３ビットリニアＰＣＭディジタル音声信号が、擬似耳５３で何ｄＢＰａの音圧に変換されているかについて判定を行う。例えばこの場合、−４．７ｄＢＰａに変換されているか否か、または受話周波数特性の適合マスクパタンに当該音声の周波数特性が合致しているか否かについての比較判断を行う。
【００６１】
また、携帯機端末１の音響エコー評価時には、上記レシーバおよびＤ／Ａ装置の評価時と同様の動作手順で、システムシミュレータ２から８０００サンプル／秒の１３ビットリニアＰＣＭディジタル音声信号を送出し、受話レシーバ１１より放射された音声を直接送話マイク１０で集音し、それを上記マイクおよびＡ／Ｄ装置の評価時と同様の動作手順でシステムシミュレータ２側へ信号を戻し、これらの信号間のレベル差を制御・信号評価手段４４で、所定の規格値と、比較することによって実現する。
【００６２】
このような送話側音声信号経路スイッチ２１および受話側音声信号経路スイッチ２２の各スイッチング素子２１−１，２１−２，２２−１，２２−２の切り替えの設定を、以下の表１に示す。すなわち、（１）通常動作時には全てのスイッチング素子２１−１，２１−２，２２−１，２２−２をａ端子側に、（２）音声復号化部の評価時には受話側音声信号経路スイッチ２２のスイッチング素子２２−１のみをｂ端子側に、（３）音声符号化部の評価時には送話側音声信号経路スイッチ２１のスイッチング素子２１−１のみをｂ端子側に切り替えるように設定し、（４）マイク、レシーバおよびＡ／Ｄ装置、Ｄ／Ａ装置の評価時には送話側音声信号経路スイッチ２１および受話側音声信号経路スイッチ２２において、スイッチング素子２１−１とスイッチング素子２２−１をａ端子側に、スイッチング素子２１−２とスイッチング素子２２−２をｂ端子側にそれぞれ切り替えるように設定する。
【００６３】
【表１】
0003676244.tif 000002
【００６４】
以上のように、この実施の形態１によれば、音声符号化・復号化装置１６とＡ／Ｄ装置１４およびＤ／Ａ装置１５の間に配置されて、配置端末音響評価用信号の入出力を携帯機端末１の入出力を通常の使用時とは異なる経路で可能とする送話側音声信号経路スイッチ２１および受話側音声信号経路スイッチ２２と、外部機器３との接続に汎用的に利用可能なＵＳＢポート２４との間で、送話側音声信号経路スイッチ２１、受話側音声信号経路スイッチ２２の制御信号および端末音響試験用信号の入出力を行うようにしているので、従来例による試験と同じ試験が実施可能であるとともに、従来、携帯機端末１に必要であった複数の接続端子、すなわち図１０に示すデータ通信ポート１８およびＤＡＩポート２３を、ＵＳＢポート２４の一つにまとめ、かつ、同等の機能を持たせることが可能になり、従来例で用いているシステムシミュレータ２を用いつつ、携帯機端末の小型軽量化が可能になるという効果が得られる。
【００６５】
実施の形態２．
なお、上記実施の形態１では、汎用接続ポートとしてＵＳＢポートを用いたものについて説明したが、ＩＥＥＥ１３９４、ＲＳ２３２Ｃ、ＲＳ４３２、ＳＣＳＩ等の規格名称で呼ばれる、ＵＳＢ同様の有線接続方式の汎用接続ポートを用いても構わないし、例えばＢｌｕｅｔｏｏｔｈと称される規格に代表される、無線接続による汎用接続ポートを用いることも可能であり、システムを構成する上で都合のよいものを適宜選択して利用することが可能である。
【００６６】
その結果、この実施の形態２によれば、従来の携帯機端末１のように、接続ポートの制約によって複数の接続ポート（同端子）を設置しなくてはならないという制約から開放され、所望の汎用接続ポートを少なくとも１種用意すればよくなるため、従来例で用いているシステムシミュレータ２を用いつつ、携帯機端末の小型軽量化が可能になるという効果が得られる。
【００６７】
実施の形態３．
上記、実施の形態１では、システムシミュレータ接続装置４に搭載したＵＳＢポートのうち、外部端末装置３に接続される側のＵＳＢポート６２を１つとしているが、これを複数搭載することももちろん可能である。この場合、ＵＳＢに対応した機器、例えば複数のＰＣを接続することに加え、マイク、スピーカ、外部記憶装置等を接続することが可能になる。
【００６８】
その結果、この実施の形態３によれば、携帯機端末１に直接外部端末装置３を接続していた従来の場合に比べて、多種の装置を接続利用することが可能になるという効果が得られる。
【００６９】
実施の形態４．
図６はこの発明の実施の形態４による携帯機端末およびその音響試験用周辺装置を用いた、端末音響評価試験時の機器接続状態を示すブロック図である。図において、１は携帯機端末、１０は送話マイク、１１は受話レシーバ、１２は送話マイクアンプ、１３は受話レシーバアンプ、１４はＡ／Ｄ装置、１５はＤ／Ａ装置、１６は音声符号化・復号化装置、１７はターミナルアダプタ、１９は無線インタフェース部、２０はアンテナ、２１は送話側音声信号経路スイッチ、２２は受話側音声信号経路スイッチ、２４はＵＳＢポート、２５はＵＳＢコントローラ、２６はＣＰＵ、２７はデータバス、２はシステムシミュレータ、４０はＤＡＩポート、４１は評価信号蓄積部、４２は無線インタフェース部、４３はアンテナ、４４は制御・信号評価手段、３は外部端末装置、４はシステムシミュレータ接続装置、６０はＤＡＩポート、６１，６２はＵＳＢポート、６３はフォーマット変換手段であり、これらは図１に同一符号を付して示した各構成要素と同等の部分であるため、詳細な説明は省略する。
【００７０】
また、２８は携帯機端末１内の無線インタフェース部１９と音声符号化・復号化装置１６との間に配置され、携帯機端末１の通常の使用時とは異なる経路で音声符号化・復号化装置１６の評価用符号化系列の出力を可能とした、信号経路スイッチとしての送話側符号化系列出力スイッチである。２９は同じく携帯機端末１内の無線インタフェース部１９と音声符号化・復号化装置１６との間に配置され、携帯機端末１の通常の使用時とは異なる経路で音声符号化・復号化装置１６の評価用符号化系列の入力を可能とした、信号経路スイッチとしての受話側符号化系列入力スイッチである。５はＰＣ等の外部端末装置３に接続されて、携帯機端末１の音響評価試験のための評価用信号、評価用符号化系列等を保存する、システムシミュレータ２内に符号４１を付して示したものと同様の評価信号蓄積部である。この実施の形態４はこれら各構成要素が新規に追加されている点で、実施の形態１とは異なっている。
【００７１】
次に動作について説明する。
なお、基本的な動作は実施の形態１の場合と同様であるため、以下では、上記新規に追加された部分の動作についてのみ説明する。従来例のシステムシミュレータ２は、送話側音声信号経路スイッチ２１または受話側音声信号経路スイッチ２２の設定についての制御は可能であるが、送話側符号化系列出力スイッチ２８および受話側符号化系列入力スイッチ２９については、システムシミュレータ２からの直接制御によっては作動させることができない。従って、送話側符号化系列出力スイッチ２８と受話側符号化系列入力スイッチ２９の制御は外部端末装置３から行う。
【００７２】
ここで、外部端末装置３はＵＳＢポートおよびＵＳＢポート制御用のドライバーソフトウエア（いずれも図示省略）を有しており、ＵＳＢポートを持つ他の機器との間で接続、データ転送等が可能なＰＣであるものとする。この場合、携帯機端末１のＣＰＵ２６およびＵＳＢコントローラ２５の間で送話側符号化系列出力スイッチ２８、受話側符号化系列入力スイッチ２９の制御が可能である。また、データバス２７、ＵＳＢコントローラ２５、ＵＳＢポート２４を経由した、外部端末装置３と携帯機端末１との間のデータ転送も可能である。また、あらかじめシステムシミュレータ２の評価信号蓄積部４１に蓄積されているものと同様の評価用信号を、外部端末装置３側にも用意しておく。ここでは、当該評価用信号を蓄積している評価信号蓄積部５を外部端末装置３に接続することで実現している。
【００７３】
送話側符号化系列出力スイッチ２８は通常使用時にはａ端子側に接続され、その結果、音声符号化・復号化装置１６のうちの音声符号化部の出力が無線インタフェース部１９側へ送出される。
【００７４】
一方、送話側符号化系列出力スイッチ２８がｂ端子側に接続されている場合には、音声符号化・復号化装置１６の音声符号化部の出力がデータバス２７に送出される。この送話側符号化系列出力スイッチ２８がｂ端子側に接続された条件において、送話側音声信号経路スイッチ２１のスイッチング素子２１−１，２１−２がともにａ端子側に接続されている場合には、送話マイク１０への入力音声の符号化結果がデータバス２７に送出されることになる。また、送話側音声信号経路スイッチ２１のスイッチング素子２１−１がｂ端子へ接続されている場合には、システムシミュレータ２から送出された８０００サンプル／秒の１３ビットリニアＰＣＭディジタル音声信号に対する、音声符号化・復号化装置１６の音声符号化部による符号化結果がデータバス２７へ送出される。
【００７５】
なお、受話側符号化系列入力スイッチ２９も通常使用時にはａ端子側に接続され、その結果、無線インタフェース部１９からの符号化系列が音声符号化・復号化装置１６の音声復号化部に入力される。
【００７６】
一方、受話側符号化系列入力スイッチ２９がｂ端子側に接続されている場合には、データバス２７側からの符号化系列を音声符号化・復号化装置１６の音声復号化部に入力することが可能となる。従って、受話側符号化系列入力スイッチ２９がｂ端子側に接続された条件において、受話側音声信号経路スイッチ２２のスイッチング素子２２−１，２２−２がともにａ端子側に接続されている場合には、データバス２７経由で送出された符号化系列に対する音声符号化・復号化装置１６の音声復号化部による復号化結果を、受話レシーバ１１でモニタすることになる。また、受話側音声信号経路スイッチ２２のスイッチング素子２２−１がｂ端子へ接続されている場合には、上記音声復号化部の復号化結果である８０００サンプル／秒の１３ビットリニアＰＣＭディジタル音声信号をデータバス２７に送出する。
【００７７】
ここで、システムシミュレータ２内の制御・信号評価手段４４と、システムシミュレータ接続装置４内のフォーマット変換手段６３との間をつないでいるＤＡＩポート４０および６０は、８０００サンプル／秒の１３ビットリニアＰＣＭディジタル音声信号の伝送にしか対応できていない。従って、以下の手順で動作を行う。
【００７８】
すなわち、送話側符号化系列出力スイッチ２８がｂ端子側に接続された条件において、送話側音声信号経路スイッチ２１のスイッチング素子２１−１がｂ端子へ接続されている場合には、システムシミュレータ２から送出された評価用の８０００サンプル／秒の１３ビットリニアＰＣＭディジタル音声信号に対する、音声符号化・復号化装置１６の音声符号化部による符号化結果がデータバス２７へ送出される。この符号化結果である音声符号化系列は、データバス２７から、ＵＳＢポート２４、システムシミュレータ接続装置４を経由して、外部端末装置３に転送され、この外部端末装置３側にあらかじめ用意してある、システムシミュレータ２側と同一内容を持つ評価信号蓄積部５に格納された評価用信号のうち、該８０００サンプル／秒の１３ビットリニアＰＣＭディジタル音声信号を、別途、所定の音声符号化を行うことによって得られた、評価用の音声符号化系列との間で、各ビット毎に比較を行う。
【００７９】
また、受話側符号化系列入力スイッチ２９がｂ端子側に接続された条件において、受話側音声信号経路スイッチ２２のスイッチング素子２２−１がｂ端子へ接続されている場合には、外部端末装置３に接続された評価信号蓄積部５から評価用の音声符号化系列を、システムシミュレータ接続装置４、ＵＳＢポート２４を経由してデータバス２７へ転送し、このときの音声符号化・復号化装置１６の音声復号化部による復号化結果である、８０００サンプル／秒の１３ビットリニアＰＣＭディジタル音声信号がデータバス２７に送出される。この復号化結果はＵＳＢポート２４、ＵＳＢポート６１経由でフォーマット変換手段６３に送られてフォーマット変換され、ＤＡＩポート６０、ＤＡＩポート４０経由でシステムシミュレータ２の制御・信号評価手段４４に取り込まれ、外部端末装置３側にあらかじめ用意してある、システムシミュレータ２側と同一内容を持つ評価信号蓄積部５に格納された評価用信号のうち、該評価用音声符号化系列に対応する、評価用の８０００サンプル／秒の１３ビットリニアＰＣＭディジタル音声信号との間で、ビット毎に比較される。
【００８０】
その結果、前記表１に示した携帯機端末試験項目のうち、音声符号化部、および音声復号化部に対する試験については、個々の符号化結果、復号化結果を、無線インタフェース部１９，４２およびアンテナ２０，４３を経由しなくても、外部端末装置３もしくはシステムシミュレータ２に取り込み、かつその評価が可能となる。
【００８１】
以上のように、実施の形態４によれば、無線インタフェース部１９と音声符号化・復号化装置１６の間に配置されて、音声符号化・復号化装置１６の評価用符号化系列の入出力を携帯機端末１の通常の使用時とは異なる経路で可能とする送話側符号化系列出力スイッチ２８および受話側符号化系列入力スイッチ２９と、ＵＳＢポート２４との間で、音声符号化・復号化装置１６の試験用信号、および送話側符号化系列出力スイッチ２８と受話側符号化系列入力スイッチ２９の制御信号の入出力を行うようにしているので、実施の形態１の場合と同様に、従来例による試験と同じ試験が実施可能であるとともに、無線インタフェース部１９，４２およびアンテナ２０，４３の特性の影響を受けない、音声符号化部および音声復号化部それぞれの符号化結果および復号化結果をシステムシミュレータ２に取り込むことが可能となり、従来のシステムシミュレータ２を用いつつ小型軽量化をはかることができ、さらに、評価試験を送話側符号化系列出力スイッチ２８と受話側符号化系列入力スイッチ２９での折り返しによって行っているため、評価試験に無線接続が不要となり、携帯機端末１とシステムシミュレータ２の双方に無線インタフェース部１９，４２およびアンテナ２０，４３を搭載することが必須でなくなるとともに、無線インタフェース部１９との組合せができない場合でも、各構成要素単独の動作試験が可能となり、無線接続を経由することによるエラーレートの増大も抑制できて、評価系の動作が不安定になることを防止できるなどの効果も得られる。
【００８２】
実施の形態５．
なお、上記実施の形態４では、汎用接続ポートとしてＵＳＢポートを用いたものを示したが、実施の形態２に示したように、これをＩＥＥＥ１３９４、ＲＳ２３２Ｃ、ＲＳ４３２、ＳＣＳＩ等の規格名称で呼ばれる、ＵＳＢ同様の有線接続方式の汎用接続ポートを用いても構わないし、例えばＢｌｕｅｔｏｏｔｈと称される規格に代表される、無線接続による汎用接続ポートを用いることも可能であり、システムを構成する上で都合のよいものを適宜選択して利用することが可能である。
【００８３】
その結果、この実施の形態５によれば、従来の携帯機端末１のように、接続ポートの制約によって複数の接続ポート（同端子）を設置しなくてはならないという制約から開放され、所望の汎用接続ポートを少なくとも１種用意すればよくなるため、実施の形態２の場合と同様に、従来例で用いているシステムシミュレータ２を用いつつ、携帯機端末の小型軽量化が可能になるという効果が得られる。
【００８４】
実施の形態６．
上記、実施の形態４では、システムシミュレータ接続装置４に搭載したＵＳＢポートのうち、外部端末装置３に接続される側のＵＳＢポート６２を１つとしているが、これを複数搭載することももちろん可能である。この場合、ＵＳＢに対応した機器、例えば複数のＰＣを接続することに加え、マイク、スピーカ、外部記憶装置等を接続することが可能になる。
【００８５】
その結果、この実施の形態６によれば、実施の形態３の場合と同様に、携帯機端末１に直接外部端末装置３を接続していた従来の場合に比べて、多種の装置を接続利用することが可能になるという効果が得られる。
【００８６】
実施の形態７．
図７はこの発明の実施の形態７による携帯機端末およびその音響試験用周辺装置を用いた、端末音響評価試験時の機器接続状態を示すブロック図であり、各構成要素には図６の相当部分と同一の符号を付してその説明を省略する。この実施の形態７においては、システムシミュレータ２の無線インタフェース部４２およびアンテナ４３は不必要となるため、図７には図示されていない。なお、外部端末装置３は実施の形態４と同様に、ＵＳＢポートおよびＵＳＢポート制御用のドライバーソフトウエアを有し、他のＵＳＢポートを持つ機器との間で接続、データ転送等が可能なＰＣであるものとする。
【００８７】
ここで、実施の形態４においては、システムシミュレータ２に無線インタフェース部４２とアンテナ４３を付属させていたが、この実施の形態７では、送話側符号化系列出力スイッチ２８および受話側符号化系列入力スイッチ２９を用いているため、無線インタフェース部１９，４２およびアンテナ２０，４３を経由しなくても、システムシミュレータ２もしくは外部端末装置３に試験用の信号を取り込むことが可能となっている。その結果、これら無線インタフェース部４２およびアンテナ４３をあらかじめ用意しておかなくとも、従来例と同等の評価が可能となる。
【００８８】
このように、この実施の形態７によれば、従来例と同様の評価を行う際、携帯機端末１とシステムシミュレータ２の双方に、特に無線インタフェース部１９，４２およびアンテナ２０，４３を用意しておく必要がなくなって、機器の構成が簡易になるとともに、各構成要素単独の動作試験が可能となり、評価系の動作が不安定になるのを防止できるなどの効果が得られる。
【００８９】
実施の形態８．
なお、実施の形態４では外部端末装置３をシステムシミュレータ接続装置４を介して携帯端末機１に接続した場合について説明したが、外部端末装置３を直接携帯機端末１に接続するようにしてもよい。図８はそのようなこの発明の実施の形態８による携帯機端末およびその音響試験用周辺装置を用いた、端末音響評価試験時の機器接続状態を示すブロック図であり、相当部分には図６と同一符号を付してその説明を省略する。
【００９０】
図において、３は携帯機端末１に接続された外部端末装置であり、実施の形態４のそれと同様の、ＵＳＢポートおよびＵＳＢポート制御用のドライバーソフトウエアを有し、他のＵＳＢポートを持つ機器との間で接続、データ転送等が可能なＰＣが用いられている。７０はこの外部端末装置３を携帯機端末１のＵＳＢポート２４に直接接続するための汎用接続ポートとしてのＵＳＢポートである。７１はこの外部端末装置３内に実現された、実施の形態４に示したシステムシミュレータ２内の制御・信号評価手段４４と同等の制御・信号評価手段であり、７２は同じく評価信号蓄積部である。
【００９１】
従来例では、無線インタフェース部１９，４２およびアンテナ２０，４３を経由し、システムシミュレータ２に入出力させる信号を用いていたため、システムシミュレータ２が必須であったが、上記、実施の形態４〜実施の形態７においては、送話側符号化系列出力スイッチ２８および受話側符号化系列入力スイッチ２９を用いることにより、無線インタフェース部１９，４２およびアンテナ２０，４３を経由しなくても、システムシミュレータ２または外部端末装置３に信号を取り込むことが可能となる。そのため、この実施の形態８においては、従来のシステムシミュレータ２に搭載される制御・信号評価手段４４および評価信号蓄積部４１と同等の制御・信号評価手段７１、評価信号蓄積部７２を外部端末装置３内に実現し、携帯機端末１と外部端末装置３をＵＳＢ接続ポート２４，７０にて直接接続することも可能となる。
【００９２】
その結果、この実施の形態８によれば、従来例と同様の評価を行う際、機器の構成がさらに簡易になるとともに、構成要素単独の動作試験が可能となり、評価系の動作が不安定になるのを防止できるなどの効果が得られる。
【００９３】
実施の形態９．
図９はこの発明の実施の形態９による携帯機端末およびその音響試験用周辺装置を用いた、端末音響評価試験時の機器接続状態を示すブロック図であり、相当部分には図６と同一符号を付してその説明を省略する。図において、３０は携帯機端末１の無線インタフェース部１９と音声符号化・復号化装置１６との間に配置され、携帯機端末１の通常の使用時とは異なる経路で無線インタフェース部１９の評価用符号化系列の入出力を可能とした、信号経路スイッチとしての送話側符号化系列入出力選択スイッチであり、３０−１，３０−２はこの送話側符号化系列入出力選択スイッチ３０のスイッチング素子である。３１は同じく携帯機端末１内の無線インタフェース部１９と音声符号化・復号化装置１６との間に配置され、携帯機端末１の通常の使用時とは異なる経路で無線インタフェース部１９の評価用符号化系列の入出力を可能とした、信号経路スイッチとしての受話側符号化系列入出力選択スイッチであり、３１−１，３１−２はこの受話側符号化系列入出力選択スイッチ３１のスイッチング素子である。なお、実施の形態４と同様に、外部端末装置３はＵＳＢポートおよびＵＳＢポート制御用のドライバーソフトウエアを有し、他のＵＳＢポートを持つ機器との間で接続、データ転送等が可能なＰＣであるものとする
【００９４】
次に動作について説明する。
なお、基本的な動作は実施の形態４の場合と同様であるため、以下では、上記新規に追加された部分の動作についてのみ説明する。送話側符号化系列入出力選択スイッチ３０と受話側符号化系列入出力選択スイッチ３１は、実施の形態４に示した送話側符号化系列出力スイッチ２８および受話側符号化系列入力スイッチ２９と同様に、システムシミュレータ２からの直接の制御によっては作動できないので、外部端末装置３から制御を行う。なお、送話側符号化系列入出力選択スイッチ３０のスイッチング素子３０−２は実施の形態４の送話側符号化系列出力スイッチ２８と同じであり、また、受話側符号化系列入出力選択スイッチ３１のスイッチング素子３１−２は実施の形態４の受話側符号化系列入力スイッチ２９と同じである。
【００９５】
送話側符号化系列入出力選択スイッチ３０のスイッチング素子３０−１は、通常使用時においてはａ端子側に接続されている。その時、同時にスイッチング素子３０−２がａ端子側に接続されていれば、音声符号化・復号化装置１６の音声符号化部の出力が無線インタフェース部１９へ送出される。また、スイッチング素子３０−１がｂ端子側に接続された場合には、データバス２７からの音声符号化データが無線インタフェース部１９へ送出される。
【００９６】
一方、受話側符号化系列入出力選択スイッチ３１のスイッチング素子３１−１も、通常使用時においてはａ端子側に接続されている。その時、同時にスイッチ素子３１−２がａ端子に接続されていれば、無線インタフェース部１９からの符号化系列が音声符号化・復号化装置１６の音声復号化部に入力される。また、スイッチング素子３１−１がｂ端子側に接続された場合には、無線インタフェース部１９からの符号化系列がデータバス２７側に入力される。
【００９７】
以上のように、この実施の形態９によれば、無線インタフェース部１９と音声符号化・復号化装置１６の間に配置した、通常の使用時とは異なる経路で無線インタフェース部１９の評価用符号化系列の入出力を可能とする送話側符号化系列入出力選択スイッチ３０および受話側符号化系列入出力選択スイッチ３１と、ＵＳＢポート２４との間で、送話側符号化系列入出力選択スイッチ３０、受話側符号化系列入出力選択スイッチ３１の制御信号、無線インタフェース部１９の試験用信号の入出力を行うようにしたので、上記実施の形態１および実施の形態４に示した評価試験と同じ試験が実現できるとともに、無線インタフェース部１９およびアンテナ２０の独立した評価試験ができるため、従来例と同様の試験が実施できるばかりでなく、無線インタフェース部１９を通過したディジタル信号そのものの試験を行うことが可能となり、無線インタフェース部１９およびアンテナ２０の独立した特性評価が行えるという効果も得られる。
【００９８】
【発明の効果】
この発明によれば、外部機器との接続に汎用的に利用可能な汎用接続ポートを設け、音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、無線インタフェース部と音声符号化・復号化装置との間に、当該携帯機端末の通常の使用時とは異なる経路で、音声符号化・復号化装置の評価用符号化系列の入出力を可能とする第２の信号経路スイッチを配置し、第１の信号経路スイッチと汎用接続ポートとの間で、端末音響評価用信号、および第１の信号経路スイッチの制御信号の入出力を行うとともに、第２の信号経路スイッチと汎用接続ポートとの間で、音声符号化・復号化装置の試験用信号、および第２の信号経路スイッチの制御信号の入出力を行うように構成したので、音響評価試験用としての専用接続ポート（ＤＡＩポート）を別途併設する必要がなくなるため、従来例で用いているシステムシミュレータを用いつつ、小型軽量化が可能な携帯機端末が得られるという効果がある。
また、評価試験に無線接続が不要となって評価系の装置規模が大きくなることを抑制できるとともに、各構成要素単独の動作試験が可能となり、エラーレートが大きくなって評価系の動作が不安定になることを防止することができるなどの効果がある。
【００９９】
この発明によれば、外部機器との接続に汎用的に利用可能な汎用接続ポートを設け、音声符号化・復号化装置とＡ／Ｄ装置およびＤ／Ａ装置との間に、当該携帯機端末の通常の使用時とは異なる経路で、端末音響評価用信号の入出力を可能とする第１の信号経路スイッチを配置し、無線インタフェース部と音声符号化・復号化装置との間に、当該携帯機端末の通常の使用時とは異なる経路で、無線インタフェース部の評価用符号化系列の入出力を可能とする第３の信号経路スイッチを配置し、第１の信号経路スイッチと汎用接続ポートとの間で、端末音響評価用信号、および第１の信号経路スイッチの制御信号の入出力を行うとともに、第３の信号経路スイッチと汎用接続ポートとの間で、無線インタフェース部の試験用信号、および第３の信号経路スイッチの制御信号の入出力を行うように構成したので、音響評価試験用としての専用接続ポート（ＤＡＩポート）を別途併設する必要がなくなるため、従来例で用いているシステムシミュレータを用いつつ、小型軽量化が可能な携帯機端末が得られるという効果がある。
また、無線インタフェース部単独の特性評価が可能になるという効果がある。
【０１００】
この発明によれば、端末音響評価装置との接続を行うための専用接続ポートと、携帯機端末との接続を行うための第１の汎用接続ポートと、外部機器との接続を行うための第２の汎用接続ポートと、専用接続ポートと第１の汎用接続ポートの間の伝送信号フォーマットを変換するフォーマット変換手段とを備えるように構成したので、携帯機端末に端末音響評価試験装置と接続するための専用接続ポートを別途併設する必要がなくなって、従来例で用いているシステムシミュレータを用いつつ携帯機端末の小型軽量化を可能とする、携帯機端末の音響試験用周辺装置が得られるという効果がある。
【図面の簡単な説明】
【図１】  この発明の実施の形態１による携帯機端末および音響試験用周辺装置を用いた、端末音響評価試験時の機器接続状態を示すブロック図である。
【図２】  実施の形態１の携帯機端末における通常動作時の信号経路スイッチの設定条件を説明するためのブロック図である。
【図３】  実施の形態１の携帯機端末における音声復号化部の評価時の信号経路スイッチの設定条件を説明するためのブロック図である。
【図４】  実施の形態１の携帯機端末における音声符号化部の評価時の信号経路スイッチの設定条件を説明するためのブロック図である。
【図５】  実施の形態１の携帯機端末における、マイク、レシーバおよびＡ／Ｄ装置、Ｄ／Ａ装置の評価時の信号経路スイッチの設定条件を説明するためのブロック図である。
【図６】  この発明の実施の形態４による携帯機端末および音響試験用周辺装置を用いた、端末音響評価試験時の機器接続状態を示すブロック図である。
【図７】  この発明の実施の形態７による携帯機端末および音響試験用周辺装置を用いた、端末音響評価試験時の機器接続状態を示すブロック図である。
【図８】  この発明の実施の形態８による携帯機端末および音響試験用周辺装置を用いた、端末音響評価試験時の機器接続状態を示すブロック図である。
【図９】  この発明の実施の形態９による携帯機端末および音響試験用周辺装置を用いた、端末音響評価試験時の機器接続状態を示すブロック図である。
【図１０】  従来の携帯機端末における端末音響評価試験時の機器接続状態を示すブロック図である。
【図１１】  従来の携帯機端末における通常動作時の信号経路スイッチの設定条件を説明するためのブロック図である。
【図１２】  従来の携帯機端末における音声復号化部の評価時の信号経路スイッチの設定条件を説明するためのブロック図である。
【図１３】  従来の携帯機端末における音声符号化部の評価時の信号経路スイッチの設定条件を説明するためのブロック図である。
【図１４】  従来の携帯機端末における、マイク、レシーバおよびＡ／Ｄ装置、Ｄ／Ａ装置の評価時の信号経路スイッチの設定条件を説明するためのブロック図である。
【符号の説明】
１  携帯機端末、２  システムシミュレータ（端末音響評価装置）、３  外部端末装置（外部機器）、４  システムシミュレータ接続装置（音響試験用周辺装置）、５  評価信号蓄積部、１０  送話マイク、１１  受話レシーバ、１２  送話マイクアンプ、１３  受話レシーバアンプ、１４  Ａ／Ｄ装置、１５  Ｄ／Ａ装置、１６  音声符号化・復号化装置、１７  ターミナルアダプタ、１９  無線インタフェース部、２０  アンテナ、２１  送話側音声信号経路スイッチ（信号経路スイッチ）、２１−１，２１−２  スイッチング素子、２２  受話側音声信号経路スイッチ（信号経路スイッチ）、２２−１，２２−２  スイッチング素子、２４  ＵＳＢポート（汎用接続ポート）、２５  ＵＳＢコントローラ、２６  ＣＰＵ、２７  データバス、２８  送話側符号化系列出力スイッチ（信号経路スイッチ）、２９  受話側符号化系列入力スイッチ（信号経路スイッチ）、３０  送話側符号化系列入出力選択スイッチ（信号経路スイッチ）、３１  受話側符号化系列入出力選択スイッチ（信号経路スイッチ）、４０  ＤＡＩポート（専用接続ポート）、４１  評価信号蓄積部、４２  無線インタフェース部、４３  アンテナ、４４  制御・信号評価手段、５０  評価用信号発生器、５１  擬似口アンプ、５２  擬似口、５３  擬似耳、５４  擬似耳アンプ、５５  信号評価手段、６０  ＤＡＩポート（専用接続ポート）、６１，６２  ＵＳＢポート（汎用接続ポート）、６３  フォーマット変換手段、７０  ＵＳＢポート（汎用接続ポート）、７１  制御・信号評価手段、７２  評価信号蓄積部。
【図１】
0003676244.tif 000003
【図２】
0003676244.tif 000004
【図３】
0003676244.tif 000005
【図４】
0003676244.tif 000006
【図５】
0003676244.tif 000007
【図６】
0003676244.tif 000008
【図７】
0003676244.tif 000009
【図８】
0003676244.tif 000010
【図９】
0003676244.tif 000011
【図１０】
0003676244.tif 000012
【図１１】
0003676244.tif 000013
【図１２】
0003676244.tif 000014
【図１３】
0003676244.tif 000015
【図１４】
0003676244.tif 000016